(57)【要約】  【課題】  ２本のワイヤーの任意の位置に係止可能なグリップ機能を有し、重量の重い物品をワイヤーを軸中心として回転させずに吊下げることのできるワイヤーグリッパーを提供する。  【解決手段】  ワイヤーグリッパー１は、内スリーブ１０と外スリーブ４０を有する。内スリーブ１０には、２ヶ所のワイヤー通し孔１１と、ワイヤー通し孔の内面及びスリーブ外周面の双方に開口する、２個ずつ２つの対をなして対向するボールセット孔２１が形成されており、ボールセット孔の存在する部分はテーパ外周面となっている。内スリーブ１０は、スプリング６０により付勢されて、同内スリーブ１０のテーパ外周面が外スリーブ４０のテーパ内周面４１ａに接している。各ボールセット孔２１には、大径ボール３１、小径ボール３３が嵌合している。これらのボールは、ワイヤー通し孔１１に一部突出して、その内の３個１組で各々のワイヤーを挟持する。  【選択図】  図１
2006263435.tif 000002
【特許請求の範囲】
【請求項１】
下記（ア）、（イ）、（ウ）を有する内スリーブと、
（ア）２本のワイヤーの各々が挿通される２ヶ所のワイヤー通し孔、
（イ）該ワイヤー通し孔の内面及びスリーブ外周面の双方に開口する、２個ずつ２つの対をなして対向するボールセット孔、
（ウ）該ボールセット孔の存在する部分のスリーブ外周に形成されたテーパー外周面、  前記ボールセット孔に嵌合するとともに、前記ワイヤー通し孔に一部突出して前記ワイヤーの外周面に押し当てられる４個のボールであって、その内の３個１組で各々のワイヤーを挟持するボールと、
前記内スリーブのテーパー外周面に接するとともに、前記ボールを内方向に押すテーパー内周面を有する外スリーブと、
該外スリーブに対して前記内スリーブを前記テーパ外周面のつぼまり方向に付勢するスプリングと、
を具備することを特徴とするワイヤーグリッパー。
【請求項２】
前記４個のボールが、対向する１つの対をなす比較的大径の大ボール２個、及び、対向する１つの対をなす比較的小径の小ボール２個、からなり、
両ボールの径比が３：２前後であることを特徴とする請求項１記載のワイヤーグリッパー。
【請求項３】
前記内スリーブの先端が、前記外スリーブのテーパー内周面のつぼまり方向端部から突出しており、
該突出した内スリーブ先端に取り付けられた、外方向に拡がるテーパー内周面が形成されたワイヤー通し孔を有するワイヤーガイドキャップを備えることを特徴とする請求項１又は２記載のワイヤーグリッパー。
【請求項４】
前記ワイヤーガイドキャップは、ワイヤーをロックするロック機構を兼ねることを特徴とする請求項３記載のワイヤーグリッパー。
【請求項５】
物品をワイヤーで吊り下げるシステムであって、
該物品に接続された請求項１〜３いずれか１項記載のワイヤーグリッパーと、
該ワイヤーグリッパーにグリップされている２本のワイヤーと、
を含むことを特徴とする物品吊り下げシステム。
【請求項６】
展示物をワイヤーで吊り下げるシステムであって、
該展示物の一部分（吊り下げ部）に取り付けられた請求項１〜３いずれか１項記載のワイヤーグリッパーと、
該ワイヤーグリッパーに下端部が接続され、上方に延びる２本のワイヤーと、
各ワイヤーの上端を天井などの固定部に留める留め具と、を備えることを特徴とする展示物吊り下げシステム。
【請求項７】
前記展示物の離れた２ヶ所に吊り下げ部が設けられており、
各々の吊り下げ部に前記ワイヤーグリッパーが取り付けられていることを特徴とする請求項６記載の展示物吊り下げシステム。
【請求項８】
請求項１〜３いずれか１項に記載のワイヤーグリッパーと、
該ワイヤーグリッパーの１つのワイヤー通し孔から出て他のワイヤー通し孔へ入るループを形成するワイヤーと、を含むことを特徴とするワイヤー吊り具。
【請求項９】
前記外スリーブに、棚が挟まれる溝の形成されている棚受けが取り付けられていることを特徴とする請求項１〜３いずれか１項記載のワイヤーグリッパー。
【請求項１０】
棚をワイヤーで水平に吊り下げるシステムであって、
該棚の辺に接続された請求項９記載のワイヤーグリッパーと、
該ワイヤーグリッパーにグリップされている２本のワイヤーと、
を含むことを特徴とする棚吊り下げシステム。
【請求項１１】
棚をワイヤーで水平に吊り下げるシステムであって、
天井等の固定部に取り付けられた請求項１〜３いずれか１項記載のワイヤーグリッパー
と、
前記棚の辺に沿って離れた位置（吊り下げ部）に取り付けられた請求項９記載のワイヤーグリッパーと、
ワイヤー下端固定部又は重りに取り付けられた請求項１〜３いずれか１項記載のワイヤーグリッパーと、
前記各ワイヤーグリッパーにグリップされる２本のワイヤーと、を備えることを特徴とする棚吊り下げシステム。
【請求項１２】
前記外スリーブにフックが取り付けられていることを特徴とする請求項１〜３いずれか１項記載のワイヤーグリッパー。
【請求項１３】
展示物・内装品・外装品（被固定物）を固定するシステムであって、
天井等の固定部に取り付けられた請求項１〜３いずれか１項記載のワイヤーグリッパーと、
該ワイヤーグリッパーのワイヤー通し孔に両端が挿通されており、同グリッパーから延びて前記被固定物の間をつなぐループ状ワイヤーと、
を備えることを特徴とする物品固定システム。
【請求項１４】
前記ワイヤーグリッパーと前記固定部との間、あるいは、前記ループ状ワイヤーと被固定物との間に、スプリングや弾性体等からなる張力付与部材が介されていることを特徴とする請求項１３記載の物品固定システム。
【請求項１５】
キャンバスを張るシステムであって、
前記キャンバスの対向する辺又は隅を、張力付与部材と直列連結された請求項１〜３いずれか１項記載のワイヤーグリッパーで反対方向に引っ張ることを特徴とするキャンバス固定システム。
【請求項１６】
キャンバスを張るシステムであって、
前記キャンバスの対向する辺又は隅を、請求項８記載のワイヤー吊り具で反対方向に引っ張ることを特徴とするキャンバス固定システム。
【請求項１７】
前記キャンバスの各辺に沿って変形及び伸縮可能なコードが取り付けられていることを特徴とする請求項１５又は１６記載のキャンバス固定システム。
【請求項１８】
複数本の線状体を掛け渡して該線状体からなる面を構成するシステムであって、
１本又は２本の前記線状体の両端を、張力付与部材と直列連結された請求項１〜３いずれか１項記載のワイヤーグリッパーでグリップして反対方向に引っ張ることをことを特徴とする面構成システム。
【請求項１９】
物品をワイヤーで吊り下げるシステムであって、
物品の離れた２ヶ所に取り付けられて、１本のワイヤーの下端部が固定された留め具と、
天井等の固定部に取り付けられて、前記２本のワイヤーの上端部がグリップされる請求項１〜３いずれか１項記載のワイヤーグリッパーと、を備え、
前記２本のワイヤーは、前記ワイヤーグリッパーから前後に（左右に）分かれるように
下方に延びていることを特徴とする棚吊り下げシステム。
【請求項２０】
棚をワイヤーで壁面に沿って水平に吊り下げるシステムであって、
壁面の垂直方向に離れた位置に取り付けられた請求項１〜３いずれか１項記載のワイヤーグリッパーと、
該ワイヤーグリッパーに上端部及び下端部がグリップされる２本のワイヤーと、
前記棚の辺に沿って離れた２ヶ所に取り付けられて、該２本のワイヤー内の１本のワイヤーの中間部がグリップされるワイヤーグリッパーと、を備え、
前記２本のワイヤーは、前記壁面に取り付けられたワイヤーグリッパーから前後に分かれるように延びていることを特徴とする棚吊り下げシステム。
【請求項２１】
棚をワイヤーで水平に吊り下げるシステムであって、
天井等の固定部に取り付けられた請求項１〜３いずれか１項記載のワイヤーグリッパーと、
ワイヤー下端留め具又は重りに取り付けられた請求項１〜３いずれか１項記載のワイヤーグリッパーと、
該ワイヤーグリッパーに上端部及び下端部がグリップされる２本のワイヤーと、
前記棚の辺に沿って離れた２ヶ所に取り付けられて、該２本のワイヤーを各中間部でグリップする請求項１〜３いずれか１項記載のワイヤーグリッパーと、を備え、
前記２本のワイヤーは、前記各ワイヤーグリッパーから前後に分かれるように延びていることを特徴とする棚吊り下げシステム。
【請求項２２】
棚をワイヤーで水平に吊り下げるシステムであって、
天井等の固定部に取り付けられて、２本のワイヤーの上端部が固定された留め具と、
ワイヤー下端留め具又は重りに取り付けられて、前記２本のワイヤーの下端部がグリップされる請求項１〜３いずれか１項記載のワイヤーグリッパーと、
前記棚の辺に沿って離れた２ヶ所に取り付けられて、前記２本のワイヤーの内の１本のワイヤーの中間部がグリップされるワイヤーグリッパーと、を備え、
前記２本のワイヤーは、前記各ワイヤー下端留め具又は重りに取り付けられたワイヤーグリッパーから前後に分かれるように延びていることを特徴とする棚吊り下げシステム。
【請求項２３】
棚をワイヤーで水平に吊り下げるシステムであって、
天井等の固定部に取り付けられて、２本のワイヤーの上端部が固定された留め具と、
前記棚の辺に沿って離れた２ヶ所に取り付けられて、前記２本のワイヤーを各中間部でグリップする請求項９記載のワイヤーグリッパーと、
ワイヤー下端留め具又は重りに取り付けられて、前記２本のワイヤーの下端部がグリップされる請求項１〜３いずれか１項記載のワイヤーグリッパーと、を備え、
前記２本のワイヤーは、前記ワイヤーグリッパーから前後に分かれるように延びていることを特徴とする棚吊り下げシステム。
【請求項２４】
バーをワイヤーで水平に吊り下げるシステムであって、
天井等の固定部の離れた２ヶ所に取り付けられて、１本のワイヤーの上端が固定された留め具と、
バーに取り付けられて、前記２本のワイヤーの中間部がグリップされる請求項１〜３いずれか１項記載のワイヤーグリッパーと、
ワイヤー下端留め具又は重りに取り付けられて、前記２本のワイヤーの下端部がグリップされる請求項１〜３いずれか１項記載のワイヤーグリッパーと、を備え、
前記２本のワイヤーは、前記バーに取り付けられたワイヤーグリッパーから前後に分かれるように上方に延びるとともに、同ワイヤーグリッパーから並んで真っ直ぐ下方に延びていることを特徴とするバー吊り下げシステム。
【請求項２５】
請求項１又は２に記載のワイヤーグリッパーと、
該ワイヤーグリッパーに取り付けられて、ワイヤー通し孔を有するワイヤーガイドキャップと、
該ワイヤーグリッパーにグリップされたループ状ワイヤーと、を備えることを特徴とするキーホルダー型ワイヤーグリッパー。
【発明の詳細な説明】
【技術分野】
【０００１】
本発明は、物品を２本のワイヤーの任意の位置に吊り下げることのできるワイヤーグリッパー、及び、そのワイヤーグリッパーを使用した物品吊り下げシステムに関する。特には、比較的重い物品を、ワイヤーを軸中心として回転しないように、かつ、見栄えよく吊下げることのできるワイヤーグリッパー等に関する。
【背景技術】
【０００２】
服飾店などのショーウィンドウにおいては、洋服を、天井などからワイヤーで吊下げられたマネキンに着せて展示することがある。このようなマネキンは比較的重いため、一般のハンガー等を吊下げるためのワイヤーの径より大径（１．５〜２．５ｍｍ）の縒り線ワイヤーを使用している。
【０００３】
ところが、重量の重い物品を１本の縒り線ワイヤーで吊るすと、ワイヤーがねじれて、物品がワイヤーを軸中心として回転してしまい、物品をきちんと正面に向けて展示することができないという問題点が生じる。これは、主にワイヤーに縒り線を使用していることによる。つまり、重量の重い物品を１本の縒り線で吊るすと、張力を生じたワイヤーの縒り線がほぐれる方向にねじれるのである。そのねじれ角は、ほぼワイヤー張力（すなわち吊る物品の重さ）に比例する。そこで、縒り線のワイヤーを使用しても物品をワイヤーを軸中心として回転させずに吊り下げることのできる方法として、ワイヤーの下端に重量調整用の重りを吊るす方法、または、物品を２本のワイヤーで吊るす方法がとられている。
【０００４】
図１１は、従来の方式でマネキンを吊るした状態を示す図である。
図１１（Ａ）は、マネキンＦを吊るしたワイヤーＷの下端に重量調整用の重りＤを吊るした例である。重りＤの重量は一例で３ｋｇである。このような重りＤを吊るすことにより、縒り線のワイヤーＷが上下方向に引っ張られて緊張するので、縒り線のねじれをある程度一定の状態に安定させることができる。
【０００５】
図１１（Ｂ）は、２本のワイヤーＷでマネキンＰを吊るす例である。マネキンＰの首の部分には、２個のワイヤーグリッパー１００が前後方向に並んで取り付けられている。そして、これらのワイヤーグリッパー１００の各々にワイヤーＷの下端が接続されている。各ワイヤーＷの上端は、各々ワイヤー留め具１０１に接続されている。各ワイヤー留め具１０１は、天井に敷設された平行なレール１０３に連結されている。
【０００６】
このように２本のワイヤーＷを使用すると、２本のワイヤーＷの各上端（留め具１０１）及び各下端（グリッパー１００）により平面が形成される。このような平面を形成することにより、各ワイヤーＷの縒り線のねじれが制限され、物品を、ほとんどワイヤーを軸中心として回転させないように吊下げることができる。
【発明の開示】
【発明が解決しようとする課題】
【０００７】
しかし、図１１（Ａ）に示す、重りＤを使用する例においては、マネキンＰの下方に重りＤがぶら下がっているため、見栄えが悪い。また、重りの分だけ、ワイヤーＷやこのワイヤーＷの上端が接続しているワイヤー留め具、同留め具が連結しているレールに掛かる負荷が大きくなる。
また、図１１（Ｂ）に示す、２本のワイヤーＷを使用する例も、見栄えが悪く、２個のワイヤーグリッパー１００が必要になり、ややゴチャゴチャした感じになる。なお、物品の吊下げ高さを変えたい場合は、ワイヤーＷの任意の位置に係止可能なグリッパー機構を備えたワイヤーグリッパー１００が２個必要になる。この場合、一方のグリッパーをワイヤーに沿って任意の位置に係止させた後、他方のグリッパーを同位置にスライドさせて係止させるため、使い勝手が悪い。
【０００８】
本発明は上記の問題点に鑑みてなされたものであって、２本のワイヤーの任意の位置に係止可能なグリップ機能を有し、重量の重い物品をワイヤーを軸中心として回転させずに吊下げることのできるワイヤーグリッパーを提供することを目的とする。
【課題を解決するための手段】
【０００９】
本発明のワイヤーグリッパーは、  下記（ア）、（イ）、（ウ）を有する内スリーブと、    （ア）２本のワイヤーの各々が挿通される２ヶ所のワイヤー通し孔、    （イ）該ワイヤー通し孔の内面及びスリーブ外周面の双方に開口する、２個ずつ２つの対をなして対向するボールセット孔、    （ウ）該ボールセット孔の存在する部分のスリーブ外周に形成されたテーパ外周面、  前記ボールセット孔に嵌合するとともに、前記ワイヤー通し孔に一部突出して前記ワイヤーの外周面に押し当てられる４個のボールであって、その内の３個１組で各々のワイヤーを挟持するボールと、  前記内スリーブのテーパ外周面に接するとともに、前記ボールを内方向に押すテーパ内周面を有する外スリーブと、  該外スリーブに対して前記内スリーブを前記テーパ外周面のつぼまり方向に付勢するスプリングと、を具備することを特徴とする。
【００１０】
１個のワイヤーグリッパーで２本のワイヤーをグリップするので、従来のように２つのグリッパーを使用して物品を吊るす必要がなくなる。このため、見栄えがよくなるとともに、ワイヤーグリッパーを取り付ける作業や、物品の吊下げ位置を変える作業が簡単になる。上述のように、縒り線ワイヤーを使用した場合には、１本のワイヤーで物品を吊下げると、物品の重さによって縒り線のねじれ角が相当大きく変わるので、物品の向きを所望の方向に向け難いという問題があったが、本発明のワイヤーグリッパーを使用することにより、この問題が改善される。また、このワイヤーグリッパーを使用することにより、各吊り点にグリッパーを１個取り付けるだけでも、パネルや棚を前後方向に振れないように吊るすことができる。
【００１１】
本発明においては、  前記４個のボールが、対向する１つの対をなす比較的大径の大ボール２個、及び、対向する１つの対をなす比較的小径の小ボール２個、からなり、  両ボールの径比が３：２前後であることとすれば、２本のワイヤーをワイヤー通し孔の中心付近に安定した力で挟持させることができる。
このような構成とすることにより、グリップ可能なワイヤーの径やグリッパーの外径サイズが、１本のワイヤーをグリップする従来品のワイヤーグリッパーと同じであるため、外スリーブの互換性がある。
【００１２】
本発明においては、  前記内スリーブの先端が、前記外スリーブのテーパー内周面のつぼまり方向端部から突出しており、  該突出した内スリーブ先端に取り付けられた、外方向に拡がるテーパー内周面が形成されたワイヤー通し孔を有するワイヤーガイドキャップを備えることが好ましい。
この際、  前記ワイヤーガイドキャップは、ワイヤーをロックするロック機構を兼ねることもできる。
【００１３】
ワイヤーガイドキャップを内スリーブ先端に取り付けることにより、ワイヤーをグリップ状態でロックすることができ、内スリーブが不用意に外スリーブに対して押されることを防ぐことができる。また、同グリッパーにグリップされている２本のワイヤーの各々の上端又は下端を、離れた位置に取り付けられている留め具などに接続する際、２本のワイヤーはグリッパーから左右に分かれて延びていく。これらのワイヤーの内スリーブ出側における湾曲形状が望ましいものとし、ワイヤーのグリップ解除や繰り出し・引き込みの操作をスムーズにすることが望ましい。そこで、内スリーブの先にワイヤーガイドキャップを取り付け、そのワイヤーガイドキャップに外方向に拡がる内周面を形成することにより、これらの分かれて延びていくワイヤーを滑らかな湾曲形状にガイドすることができる。また、ワイヤーの曲がり方がスムーズになるのでワイヤーにくせがつきにくい。
【００１４】
本発明の物品吊下げシステムは、  物品をワイヤーで吊下げるシステムであって、  該物品に接続された上記に記載のワイヤーグリッパーと、  該ワイヤーグリッパーにグリップされている２本のワイヤーと、を含むことを特徴とする。
マネキンなどの重い物品や、重さが各種ある物品を所望の方向に向くように吊下げることができる。また、パネルや棚を前後方向に振れないように吊下げることができる。
【００１５】
本発明の展示物吊り下げシステムは、  展示物をワイヤーで吊り下げるシステムであって、  該展示物の一部分（吊り下げ部）に取り付けられた請求項１〜３いずれか１項記載のワイヤーグリッパーと、  該ワイヤーグリッパーに下端部が接続され、上方に延びる２本のワイヤーと、  各ワイヤーの上端を天井などの固定部に留める留め具と、を備えることを特徴とする。
【００１６】
本発明においては、  前記展示物の離れた２ヶ所に吊り下げ部が設けられており、  各々の吊り下げ部に前記ワイヤーグリッパーが取り付けられていることが好ましい。この場合、展示物の左右方向の揺れやワイヤーの中心軸の周りの回転をさらに低減できる。
【００１７】
本発明のワイヤー吊り具は、  請求項１〜３いずれか１項に記載のワイヤーグリッパーと、  該ワイヤーグリッパーの１つのワイヤー通し孔から出て他のワイヤー通し孔へ入るループを形成するワイヤーと、を含むことを特徴とする。
ループの長さを任意に調整することが容易になる。なお、ここで“吊り”には、ワイヤーで物品を吊るすことに加えて、ワイヤーで物品を張る・張力をかけて固定するという意味も含む。
【００１８】
本発明においては、  前記外スリーブに、棚が挟まれる溝の形成されている棚受けが取り付けられていることとすれば、ワイヤーで棚を水平に吊り下げるシステムに適用する際に、棚を保持しやすい。
【００１９】
本発明の棚吊り下げシステムは、  棚をワイヤーで水平に吊り下げるシステムであって、  該棚の辺に接続された請求項９記載のワイヤーグリッパーと、  該ワイヤーグリッパーにグリップされている２本のワイヤーと、を含むことを特徴とする。
【００２０】
本発明の他の棚吊り下げシステムは、  棚をワイヤーで水平に吊り下げるシステムであって、  天井等の固定部に取り付けられた請求項１〜３いずれか１項記載のワイヤーグリッパーと、  前記棚の辺に沿って離れた位置（吊り下げ部）に取り付けられた請求項９記載のワイヤーグリッパーと、  ワイヤー下端固定部又は重りに取り付けられた請求項１〜３いずれか１項記載のワイヤーグリッパーと、  前記各ワイヤーグリッパーにグリップされる２本のワイヤーと、を備えることを特徴とする。
【００２１】
本発明においては、  前記外スリーブにフックが取り付けられていることとすれば、ハンガー等を吊るしやすくなる。
【００２２】
本発明の物品固定システムは、  展示物・内装品・外装品（被固定物）を固定するシステムであって、  天井等の固定部に取り付けられた請求項〜３いずれか１項記載のワイヤーグリッパーと、  該ワイヤーグリッパーのワイヤー通し孔に両端が挿通されており、同グリッパーから延びて前記被固定物の間をつなぐループ状ワイヤーと、を備えることを特徴とする。
【００２３】
ループ状ワイヤーのループの長さを簡単に変えることができるので、被固定物の吊り位置（高さ）やテンションを容易に調整できる。なお、１本のワイヤーをグリップ可能なグリッパーを使用しても、ワイヤーの長さを調整することができる。しかし、このグリップを使用した場合、ワイヤーの両端を固定物（床や天井）や被固定物に予め固定又は取り付けるための留め具やグリッパーが必要になる。つまり、ワイヤーの両端をグリップ又は固定するためのグリッパーや留め具が２個必要になる。しかし、２本のワイヤーをグリップ可能なワイヤーグリッパーを使用することにより、被固定物にワイヤーを通す孔などのループ係合部を設けておけばよく、グリッパーは１個ですむ。さらに、被固定物のデザイン性を広げることができ、取り付け方法の自由度が得られる。
【００２４】
本発明においては、  前記ワイヤーグリッパーと前記固定部との間、あるいは、前記ループ状ワイヤーと被固定物との間に、スプリングや弾性体等からなる張力付与部材が介されていることが好ましい。
スプリングを介することにより被固定物を固定する際のテンションの調整がしやすくなる。あるいは、多少各部のガタや弛みが生じた場合にも張力が激減することがない。
【００２５】
本発明のキャンバス固定システムは、  キャンバスを張るシステムであって、  前記キャンバスの対向する辺又は隅を、張力付与部材と直列連結された請求項１〜３いずれか１項記載のワイヤーグリッパーで反対方向に引っ張ることを特徴とする。
【００２６】
本発明の他のキャンバス固定システムは、  キャンバスを張るシステムであって、  前記キャンバスの対向する辺又は隅を、請求項８記載のワイヤー吊り具で反対方向に引っ張ることを特徴とする。
【００２７】
これらの発明においては、  前記キャンバスの各辺に沿って変形及び伸縮可能なコードが取り付けられていることとすれば、キャンバスＣの各辺を緊張した状態に維持できる。
【００２８】
本発明の面構成システムは、  複数本の線状体を掛け渡して該線状体からなる面を構成するシステムであって、  １本又は２本の前記線状体の両端を、張力付与部材と直列連結された請求項１〜３いずれか１項記載のワイヤーグリッパーでグリップして反対方向に引っ張ることを特徴とする。
【００２９】
本発明の物品吊り下げシステムは、  物品をワイヤーで吊り下げるシステムであって、  物品の離れた２ヶ所に取り付けられて、１本のワイヤーの下端部が固定された留め具と  天井等の固定部に取り付けられて、前記２本のワイヤーの上端部がグリップされる請求項１〜３いずれか１項記載のワイヤーグリッパーと、を備え、  前記２本のワイヤーは、前記ワイヤーグリッパーから前後に（左右に）分かれるように下方に延びていることを特徴とする。
【００３０】
本発明の棚吊り下げシステムは、  棚をワイヤーで壁面に沿って水平に吊り下げるシステムであって、  壁面の垂直方向に離れた位置に取り付けられた請求項１〜３いずれか１項記載のワイヤーグリッパーと、  該ワイヤーグリッパーに上端部及び下端部がグリップされる２本のワイヤーと、  前記棚の辺に沿って離れた２ヶ所に取り付けられて、該２本のワイヤー内の１本のワイヤーの中間部がグリップされるワイヤーグリッパーと、を備え、  前記２本のワイヤーは、前記壁面に取り付けられたワイヤーグリッパーから前後に分かれるように延びていることを特徴とする。
【００３１】
本発明の他の棚吊り下げシステムは、  棚をワイヤーで水平に吊り下げるシステムであって、  天井等の固定部に取り付けられた請求項１〜３いずれか１項記載のワイヤーグリッパーと、  ワイヤー下端留め具又は重りに取り付けられた請求項１〜３いずれか１項記載のワイヤーグリッパーと、  該ワイヤーグリッパーに上端部及び下端部がグリップされる２本のワイヤーと、  前記棚の辺に沿って離れた２ヶ所に取り付けられて、該２本のワイヤーを各中間部でグリップする請求項１〜３いずれか１項記載のワイヤーグリッパーと、を備え、  前記２本のワイヤーは、前記各ワイヤーグリッパーから前後に分かれるように延びていることを特徴とする。
【００３２】
本発明の他の棚吊り下げシステムは、  棚をワイヤーで水平に吊り下げるシステムであって、  天井等の固定部に取り付けられて、２本のワイヤーの上端部が固定された留め具と、  ワイヤー下端留め具又は重りに取り付けられて、前記２本のワイヤーの下端部がグリップされる請求項１〜３いずれか１項記載のワイヤーグリッパーと、  前記棚の辺に沿って離れた２ヶ所に取り付けられて、前記２本のワイヤーの内の１本のワイヤーの中間部がグリップされるワイヤーグリッパーと、を備え、  前記２本のワイヤーは、前記各ワイヤー下端留め具又は重りに取り付けられたワイヤーグリッパーから前後に分かれるように延びていることを特徴とする。
【００３３】
本発明の棚吊り下げシステムは、  棚をワイヤーで水平に吊り下げるシステムであって、  天井等の固定部に取り付けられて、２本のワイヤーの上端部が固定された留め具と、  前記棚の辺に沿って離れた２ヶ所に取り付けられて、前記２本のワイヤーを各中間部でグリップする請求項９記載のワイヤーグリッパーと、  ワイヤー下端留め具又は重りに取り付けられて、前記２本のワイヤーの下端部がグリップされる請求項１〜３いずれか１項記載のワイヤーグリッパーと、を備え、  前記２本のワイヤーは、前記ワイヤーグリッパーから前後に分かれるように延びていることを特徴とする。
【００３４】
本発明のバー吊り下げシステムは、  バーをワイヤーで水平に吊り下げるシステムであって、  天井等の固定部の離れた２ヶ所に取り付けられて、１本のワイヤーの上端が固定された留め具と、  バーに取り付けられて、前記２本のワイヤーの中間部がグリップされる請求項１〜３いずれか１項記載のワイヤーグリッパーと、  ワイヤー下端留め具又は重りに取り付けられて、前記２本のワイヤーの下端部がグリップされる請求項１〜３いずれか１項記載のワイヤーグリッパーと、を備え、  前記２本のワイヤーは、前記バーに取り付けられたワイヤーグリッパーから前後に分かれるように上方に延びるとともに、同ワイヤーグリッパーから並んで真っ直ぐ下方に延びていることを特徴とする。
【００３５】
本発明のキーホルダー型ワイヤーグリッパーは、  請求項１又は２に記載のワイヤーグリッパーと、  該ワイヤーグリッパーに取り付けられて、ワイヤー通し孔を有するワイヤーガイドキャップと、  該ワイヤーグリッパーにグリップされたループ状ワイヤーと、を備えることを特徴とする。
【発明の効果】
【００３６】
以上の説明から明らかなように、本発明によれば、２本のワイヤーの任意の位置に係止可能なワイヤーグリッパーを提供できる。さらには、このワイヤーグリッパーを用いることにより、重量の重い物品をワイヤーを軸中心として回転させずに吊下げることのできる、または、物品を前後方向や左右方向に振れずに吊下げることのできるシステムを提供できる。
【発明を実施するための形態】
【００３７】
以下、本発明の実施の形態について、図面を参照しながら詳細に説明する。
図１は、本発明の実施の形態に係るワイヤーグリッパーの構造を示す図であり、図１（Ａ）は縦断面図、図１（Ｂ）は平面図である。
図２は、図１のワイヤーグリッパーの内スリーブの構造を示す図であり、図２（Ａ）は平面図、図２（Ｂ）は正面図である。
図３は、図１のワイヤーグリッパーのグリップ作用を説明するための図であり、図３（Ａ）は一部横断面図、図３（Ｂ）は一部縦断面図である。
ワイヤーグリッパー１は、内スリーブ１０と、内スリーブ１０内に保持される４個のボール３１、３３（図３（Ａ）参照）と、内スリーブ１０が収容される中空孔部を有する外スリーブ４０と、外スリーブ４０に対して内スリーブ１０を付勢するスプリング６０とから構成される。
【００３８】
まず、図２を主に参照して内スリーブ１０の構造を説明する。なお、この内スリーブ１０は“ピン”と呼ぶこともある。
内スリーブ１０には、２本のワイヤー（径１．２〜１．５ｍｍ）の各々が通される２ヶ所のワイヤー通し孔１１が形成されている。各ワイヤー通し孔１１は、内スリーブ１０の中心軸（縦軸）から等距離離れた位置に、同中心軸に平行に延びている。各ワイヤー通し孔１１の内径は等しく、長さ方向（図の縦方向）に均一である。この例では、ワイヤー通し孔１１の径は１．８ｍｍで、各孔１１の中心間の距離は約２．５ｍｍ（内スリーブ中心軸からの距離は１．２５ｍｍ）である。
【００３９】
内スリーブ１０は、上から順に、円筒状の上部１３、下から上に向って先細テーパ状の外周面１５ａを有する円錐状部１５、同円錐状部１５の下端に連続する円筒状の中央部１７、中央部１７より小径の円筒状の下部１９を有する。
【００４０】
内スリーブ１０の円錐状部１５と中央部１７との間には、同部の外周面と２ヶ所のワイヤー通し孔１１の双方に開口するボールセット孔２１が形成されている。各ボールセット孔２１は、ワイヤー通し孔１１の孔軸の直交方向（径方向）に延びており、各孔の孔軸は内スリーブ１０の同じ高さ位置にある。同孔は、内スリーブ１０の中心軸に対して、対をなす２個の大径孔２１Ｌと、対をなす２個の小径孔２１Ｓからなる。そして、小径孔対２１Ｓは、各ワイヤー通し孔１１が並ぶ方向からこれらの孔に開口している。つまり、図２に示すように、一方の小径孔２１Ｓ−１は一方のワイヤー通し孔１１−１に開口し、他方の小径孔２１Ｓ−２は他方のワイヤー通し孔１１−２に開口している。一方、大径孔対２１Ｌ−１、２１Ｌ−２は、各ワイヤー通し孔１１の並ぶ方向と直交する方向から、両方のワイヤー通し孔１１−１、１１−２に開口している。
【００４１】
したがって、一方のワイヤー通し孔１１−１は、一方の小径孔２１Ｓ−１と２つの大径孔２１Ｌ−１、２１Ｌ−２に開口しており、他方のワイヤー通し孔１１−２は、他方の小径孔２１Ｓ−２と２つの大径孔２１Ｌ−１、２１Ｌ−２に開口している。
【００４２】
なお、実際には、内スリーブ１０を、小径孔対２１Ｓと大径孔対２１Ｌが内スリーブ１０の中心軸の直交方向を、互いに直交するように貫通している。つまり、内スリーブ１０の小径孔対２１Ｓ及び大径孔対２１Ｌが形成されている部分では、２つのワイヤー通し孔１１を隔てる壁はなく、両孔１１が連通した中空部となっている。
【００４３】
図３（Ａ）に示すように、各大径孔２１Ｌには、大径ボール３１が嵌合し、各小径孔２１Ｓには、小径ボール３３が嵌合している。各孔の径は、各ボールの径にプラスα（例えば、０．１ｍｍ）した寸法であり、ボール３１、３３は各孔２１内で回転可能であり、孔軸方向に移動可能である。また、各孔２１の長さはボール３１、３３の径よりやや短い。各ボールの径については後述する。
【００４４】
外スリーブ４０は、ほぼ円筒状の形状であり、中心軸上（縦方向）を貫通する中空孔部が形成されている。中空孔部の上部４１は、下から上に向って先細のテーパ内周面４１ａとなっており、下部４３は、外スリーブ４０の中心軸に沿って等径の内周面となっている。この例では、下中空孔部４３の内周面の径は９．２ｍｍである。下中空孔部４３の内周面のほぼ下半分にはネジ４５が形成されている。このネジ４５には、下中空孔部４３の開口から通されたスプリング押え４９が螺合している。スプリング押え４９の中央には、内スリーブ１０の下部１９が貫通する孔５１が開けられている。
【００４５】
スプリング６０は、内スリーブ１０の下部１９に挿嵌されて、内スリーブ１０の中央部１７の下面と、スプリング押え４９との間に配置されている。このスプリング６０は、内スリーブ１０を外スリーブ４０（スプリング押え４９）に対して上方に付勢して、内スリーブ１０のテーパ外周面１５ａを外スリーブ４０のテーパ内周面４１ａに内接させている。このとき、内スリーブ１０の各ボールセット孔２１内に嵌合している各ボールは、外側の面が、外スリーブ４０のテーパ内周面４１ａに接している。
なお、内スリーブ１０をスプリング６０の付勢力に抗して下方に（スプリング押え４９の方向に）押すと、内スリーブ１０は外スリーブ４０内に押し込まれる。
【００４６】
内スリーブ１０が外スリーブ４０の中空孔部内に収容されると、内スリーブ１０の上部１３は外スリーブ４０の上中空孔部４１の開口から突き出る。そして、内スリーブ１０の円錐状部１５のテーパ外周面１５ａが、外スリーブ４０の上中空孔部４１のテーパ内周面４１ａに内接する。内スリーブ１０の下部１９は、スプリング押え４９の孔５１を貫通している。
【００４７】
次に、図３を参照して、このワイヤーグリッパー１のワイヤーグリッパー作用について説明する。
図３において、実線は、内スリーブ１０のテーパ外周面１５ａが外スリーブ４０のテーパ内周面４１ａに内接している状態を示し、鎖線は、内スリーブ１０のテーパ外周面１５ａが外スリーブ４０のテーパ内周面４１ａから離れた状態を示す。
【００４８】
スプリング６０によって、内スリーブ１０がスプリング押え４９に対して上方に付勢されて、内スリーブ１０のテーパ外周面１５ａが外スリーブ４０のテーパ内周面４１ａに内接しているとき、図３の実線で示すように、各ボールセット孔２１に嵌合している各ボール３１、３３は、外スリーブ４０のテーパ内周面４１ａに押されて、内側がワイヤー通し孔１１内に突き出ている。
【００４９】
ワイヤーＷをワイヤーグリッパー１に挿入する際は、内スリーブ１０をスプリング６０の付勢力に抗してスプリング押え４９方向に押す。すると、内スリーブ１０が外スリーブ４０のテーパ内周面４１ａの径が広くなる方向へ動き、内スリーブ１０の中央部１７の外周面と外スリーブ４０のテーパ内周面４１ａとの間にスキマができる。そして、中央部１７に形成されている各ボールセット孔２１内のボール３１、３３は、図３（Ａ）の矢印で示すように、このスキマの方向、すなわち、外方向へ移動可能となる。
【００５０】
この状態で、ワイヤーＷを内スリーブ１０の各ワイヤー通し孔１１に挿入する。ワイヤーＷがワイヤー通し孔１１内をボールセット孔２１まで進むと、各ボール３１、３３は外方向へ移動可能であるので、同ワイヤーＷの外面によって各ボールが外方向に押される。これによりワイヤー通し孔１１が開き、ワイヤーＷは同孔１１を貫通する。
【００５１】
グリッパー１をワイヤーＷに沿って所望の長さだけスライドさせた後、内スリーブ１０をスプリング押え４９に向って押す力を解除する。すると、内スリーブ１０はスプリング６０で付勢されて、外スリーブ４０のテーパ内周面４１ａが狭くなる方向（図３（Ｂ）の上方向）に移動する。そして、同テーパ内周面４１ａによって、ボール３１、３３は内方向に押し付けられ、各ボールはワイヤー通し孔内に突き出る。これにより、１本のワイヤーＷが２個の大径ボール３１と１個の小径ボール３３に挟まれてグリップされる。
【００５２】
次に、各ボールの径とワイヤー通し孔の位置関係、及び、ボールのグリップ力について説明する。
まず、図４を参照して、各ボールの径について説明する。
図４は、各ボールの径を幾何学的に求める方法を説明するための図である。
図４は、一対の大径ボール３１が接し、小径ボール３３の各々が２個の大径ボールに接しているとともに、各ボール３１、３３が１個の円Ｃ１に内接している状態を示す。このとき、大径ボール３１の中心間を通る線と、小径ボール３３の中心間を通る線は直交しているので、一対の大径ボール３１の接点Ｐ１と、大径ボール３１の中心点Ｐ２、小径ボール３３の中心点Ｐ３を結ぶ三角形を考え、大径ボール３１の径をａ、小径ボール３３の径をａｘとして計算すると、ｘは２／３となる。つまり、大径ボール３１の径と小径ボール３３の径の比は、３：２となる。そして、大径ボール３１の径ａは円Ｃ１の半径の１／２である。
なお、図４に示した状態は、各ボール３１、３３が各ボールセット孔２１内を最も内側まで移動した状態であり、実際にワイヤーをグリップすることを考慮した状態ではない。
【００５３】
この例では、円Ｃ１の径が８ｍｍとして、上述の方法により各ボールの径を求めると、大径ボール３１の径は約４ｍｍ、小径ボール３３の径は約２．６ｍｍとなる。なお、実際には、大径ボール３１の径が４ｍｍ、小径ボール３３の径は２．５ｍｍである。小径ボール３３の径が、幾何学的に求められた径よりも約０．１ｍｍ小さいのは、市場に入手の容易なボール寸法としたからである。
【００５４】
次に、上記で求めた径のボールでワイヤーをグリップする状態を説明する。
上述のように、ワイヤーＷは、２個の大径ボール３１と１個の小径ボール３３に挟まれてグリップされる。このときに、ワイヤーＷは、ワイヤー通し孔１１の中央に、同ワイヤーＷの中心に対してほぼ均等な方向からほぼ均等な力で押し当てられることが好ましい。このためには、ワイヤー通し孔１１の中心を、図４において、３個のボール（大径ボール２個と小径ボール１個）に外接する円Ｃ２の中心に位置させることが好ましい。なお、ワイヤー通し孔１１の径は、ワイヤーＷの径（１．２〜１．５ｍｍ）にプラスαした寸法である。
【００５５】
ワイヤーＷは、図３（Ｂ）の実線で示すように、内スリーブ１０のテーパ外周面１５ａが外スリーブ４０のテーパ内周面４１ａに内接したときに、各ボール３１、３３が内周面４１ａに押されてワイヤー通し孔１１内に突き出ている部分によって押されてグリップされている。このとき、ワイヤーＷの、各ボールで押されている部分は弾性変形する。この弾性変形部（図３（Ａ）のハッチングで示す部分、各ボールがワイヤー通し孔１１内に突き出ている部分の面積、締め代）は、縒り線がほどけたり切れたりしないような適宜な値となるように設定されている。
【００５６】
また、各ボール３１、３３の径や、ワイヤー通し孔１１の位置を上述のように設定することにより、各ボールがボールセット孔２１内を内方向に移動する場合（ワイヤーＷをグリップする方向）に、各ボールが、ワイヤー通し孔１１の中心に対して、ほぼ均等な方向からほぼ均等な量だけ突き出ることが可能になる。
【００５７】
図３を参照してより詳細に説明すると、前述のように、１つのワイヤー通し孔１１には、２個の大径孔２１Ｌと１個の小径孔２１Ｓが開口しているので、１本のワイヤーには、２個の大径ボール３１と１個の小径ボール３３が押し当てられることになる。例えば、図３（Ａ）において、一方のワイヤー通し孔１１−１に通されているワイヤーには、２個の大径ボール３１−１、３１−２と、１個の小径ボール３３−１が押し当てられている。このとき、平面的に見ると、図３（Ａ）に示すように、３個のボール３１−１、３１−２、３３−１がワイヤー通し孔１１−１の中心に対して突き出る角度はほぼ等しく、突き出た部分の面積（図３（Ａ）のハッチングで示す）もほぼ等しい。つまり、同孔１１−１に通されているワイヤーは、同ワイヤーの中心に対してほぼ均等な方向からほぼ均等な力で押し当てられているので、ワイヤーをワイヤー通し孔１１−１の中央に挟持できる。
【００５８】
グリップ力を解除するには、内スリーブ１０を片方の指でつまみ、他方の指で外スリーブ４０をつまむ。そして、内スリーブ１０をスプリング６０の付勢力に抗してスプリング押え４９方向に押す。すると、図３の二点鎖線に示すように、内スリーブ１０が外スリーブ４０のテーパ内周面４１ａの径が広がる方向へ動き、内スリーブ１０の中央部１７の外周面と外スリーブ４０のテーパ内周面４１ａとの間にスキマができる。そして、中央部１７に形成されている各ボールセット孔２１内のボール３１、３３は、図３（Ａ）の矢印で示すように、このスキマの方向、すなわち、外方向へ移動する。
【００５９】
このように、各ボール３１、３３がボールセット孔２１内を外方向へ動くと、ボール３１、３３がワイヤーから離れて、ワイヤーをグリップしていた力がなくなる。もしくは、同力が弱くなる。すると、ワイヤーはワイヤー通し孔１１内を上下方向に自由にスライドできる。なお、ボール３１、３３は各ボールセット孔２１内に回転自在に嵌合しているため、ワイヤースライド時のボール３１、３３とワイヤーとの摩擦は小さく、各ワイヤーは各ワイヤー通し孔１１内をスムーズにスライドできる。
【００６０】
グリッパー１をワイヤーに沿って所望の長さだけスライドさせた後、内スリーブ１０をスプリング押え４９に向って押す力を解除する。すると、内スリーブ１０はスプリング６０で付勢されて、内スリーブ１０のテーパ外周面１５ａが外スリーブ４０のテーパ内周面４１ａに内接し、テーパ内周面４１ａで押し付けられたボール３１、３３によってワイヤーがグリップされる。
【００６１】
図５は、図１のワイヤーグリッパーを使用してマネキンを吊るした状態を示す図である。
マネキンＦの首の部分には、１個の中空のオネジ１１１が突出固定されている。図１のワイヤーグリッパー１は、外スリーブ４０の下中空孔部４３のネジ４５をマネキンＦのオネジ１１１に螺合させることにより、マネキンＦに取り付けられる。ワイヤーグリッパー１には２本のワイヤーＷが通されてグリップされている。各ワイヤーＷの下端はグリッパー１の下端からマネキンＦ内に延びている。各ワイヤーＷは、グリッパー１から左右に分かれるように上方に延びて、上端がワイヤー留め具１０１に接続している。これらのワイヤー留め具１０１は、天井に敷設されたレール１０３に、スライド可能に連結している。つまり、２本のワイヤーＷの各上端（留め具１０１）と各下端（グリッパー１の各ワイヤー通し孔１１）とが一つの平面を形成しており、マネキンＦをワイヤーＷを軸中心として回転しないように吊下げることができる。なお、２本のワイヤーＷの下端は、ワイヤーグリッパー１のワイヤー通し孔１１間の幅だけしか離れていないが、ワイヤーＷの縒り線のねじれを制限する効果は十分発揮される。
【００６２】
このようにワイヤーグリッパー１にマネキンＦが吊るされると、マネキンＦのオネジ１１１と螺合している外スリーブ４０は自重によって下方向に引っ張られる。すると、外スリーブ４０のテーパ内周面４１ａは内スリーブ１０のテーパ外周面１５ａが拡がる方向に動き、ボール３１、３３を内方向に押す力が強くなる。つまり、ワイヤーグリッパー１に物品が吊るされることによって、グリップ力はさらに強くなる。
【００６３】
このように、物品の重さが重い、あるいは、ワイヤー軸周りの回転を防止するために、２本のワイヤーで物品を吊り下げる必要がある場合でも、このワイヤーグリッパー１を１個使用するだけで、物品を２本のワイヤーで吊り下げることができる。この場合、図１１（Ｂ）に示す、ワイヤーグリッパーを２個使用した例に比べて、物品を見栄えよく吊り下げることができる。また、１回の操作（内スリーブ１０を外スリーブ４０に対して押す操作）だけで、グリッパー１を２本のワイヤーＷ上で同時にスライドできるため、簡単に物品の吊り下げ位置を変えることができる。
さらに、図１２を参照して後述するワイヤーガイドキャップ付きのワイヤーグリッパーを使用すると、操作性や意匠性が向上する。
【００６４】
図６は、図１のワイヤーグリッパーの他の使用例を示す図である。
この例では、ワイヤーグリッパー１を利用してパネルＰを吊るす例である。パネルＰの上縁の両端付近には、オネジ（図示されず）が固定されており、同オネジに各々ワイヤーグリッパー１の外スリーブ４０のメネジ４５が螺合している。各ワイヤーグリッパー１にグリップされている２本のワイヤーＷの１本は、真っ直ぐに上方に延びて一方のワイヤー留め具１０５に連結されており、もう１本は斜め上方に延びて他方のワイヤー留め具１０５に連結されている。このワイヤー留め具１０５として、ワイヤーグリッパー１を使用することもできる。このようにパネルＰを吊下げることにより、パネルＰを図の左右方向に振れないように吊下げることができる。例えば、２本のワイヤーでパネルを吊る場合、パネルは図の左右方向に振れやすい。しかし、本例においては、左右の振れは、対角上に延びるワイヤーで抑制されるため、左右方向には振れ難い。そして、このワイヤーグリッパー１を使用することにより、２本のワイヤーの端部をグリップするグリッパーが一つですむ。また、簡単にパネルＰの位置を変えることができる。
この例においても、図１２を参照して後述するワイヤーガイドキャップ付きのワイヤーグリッパーを使用すると、操作性や意匠性が向上する。
【００６５】
図７は、図１のワイヤーグリッパーの他の使用例を示す図である。
この例では、ワイヤーグリッパー１を利用してワイヤーＷでループを作成している。ループ状に湾曲したワイヤーＷの両端は、ワイヤーグリッパー１の各ワイヤー通し孔１１の上端から同孔に挿通されて、同グリッパー１にグリップされている。ワイヤーＷをグリッパー１に対してスライドさせることにより、ループの大きさを変えることができる。
【００６６】
図８は、本発明の他の実施の形態に係るワイヤーグリッパーの構造を示す図であり、図８（Ａ）は正面断面図、図８（Ｂ）は平面図、図８（Ｃ）は側面図である。
このワイヤーグリッパー１´には、棚をワイヤーの任意の高さに水平に保持する棚受け８０が取り付けられている。同グリッパー１´は、図１のワイヤーグリッパーと同じ構成・作用を有するが、外スリーブ７０の形状が異なる。
【００６７】
外スリーブ７０は、平らな円盤を立てた形状であり、一方の側面に、外方向に突き出た棚受け取り付け部７１が形成されている。
棚受け８０は、円柱を横に寝かせた形状である。棚受け８０の側面には、棚が挟まれる横向きの溝８５が形成されている。この溝８５により対向する２つの片８３が形成されている。一方の片８３には、高さ調整ネジ付きの棚押え８７が設けられている。棚受け８０は、外スリーブ７０の棚受け取り付け部７１にネジ８９により回動可能に取り付けられている。
【００６８】
図２５は、図８のワイヤーグリッパーの他の構造例を示す正面断面図である。
この例のワイヤーグリッパー１´においては、外スリーブ７０´に棚受け８０´が一体に設けられている。棚受け８０´の溝８５は、内スリーブ１０のワイヤー通し孔と直交するように形成されている。棚受け８０´と外スリーブ７０´を一体とすることにより、内スリーブ１０と棚受け８０´の相対回動がなくなるので、保持される棚の揺れを低減することができる。
【００６９】
図９は、この例のワイヤーグリッパーで棚を保持した様子を示す図である。
この例では、天井に敷設されたレール１０３から吊下げられたワイヤーＷに、ワイヤーグリッパー１´で棚Ｓを保持する例を示す。棚Ｓは、図８（Ａ）に示すグリッパー１´の棚受け８０の溝８５に挿入されて、上側の片８３と棚押え８７との間に挟まれて固定されている。
【００７０】
ワイヤーグリッパー１´にグリップされている２本のワイヤーＷの１本は、真っ直ぐに上方に延びて一方のワイヤー留め具１０５に連結されており、もう１本は斜め上方に延びて他方のワイヤー留め具１０５に連結されている。これらのワイヤー留め具１０５として、ワイヤーグリッパー１を使用することもできる。また、２本のワイヤーＷの１本は、真っ直ぐに下方に延びて一方の重りＤに取り付けられたワイヤーグリッパー１に連結されており、もう１本は斜め下方に延びて他方の重りＤに取り付けられたワイヤーグリッパー１に連結されている。このようにワイヤーグリッパー１´を利用することにより、棚Ｓを前後方向に振れないように水平に保持できる。なお重りＤの替わりに、床などに留め具を設置することもできる。
【００７１】
図１０は、本発明の他の実施の形態に係るワイヤーグリッパーの構造を示す図であり、図１０（Ａ）は正面断面図、図１０（Ｂ）は側面図である。
このワイヤーグリッパー１´´は、物品を引っ掛けるフック９５を有する。同グリッパー１´´は、図１のワイヤーグリッパー１と同じ構成・作用を有するが、外スリーブ９０の形状が異なる。
【００７２】
外スリーブ９０の下中空孔部にはネジは形成されていない。そして、スプリング押え４９は、外スリーブ９０の下中空孔部の下方から圧入されて固定されている。また、外スリーブ９０の下部には、リベット９７によってフック９５が取り付けられている。
このワイヤーグリッパー１´´を使用することにより、フック９５に引っ掛けられた物
品を、ワイヤーを軸中心として回転させずに吊るすことができる。
【００７３】
図１２は、本発明の他の実施の形態に係るワイヤーグリッパーの構造を示す図であり、図１２（Ａ）は正面図、図１２（Ｂ）はワイヤーグリッパー本体の正面断面図、図１２（Ｃ）はキャップの正面断面を示す図であり、同キャップとグリッパーとのスキマやワイヤーをガイドしている様子も示す。
このワイヤーグリッパー２００は、図１のワイヤーグリッパー１に螺合するワイヤーガイドキャップ２０１を備える。図１２（Ｂ）に示すように、内スリーブ１０の上部１３は、スプリング６０によって上方に付勢されて外スリーブ４０の上中空孔部４１の開口から突き出ている。この突き出た上部１３の外周面に、外ネジ１３ａが形成されている。そして、ワイヤーガイドキャップ２０１は、このネジに螺合する。
【００７４】
ワイヤーガイドキャップ２０１には、図１２（Ｃ）に示すように、ワイヤーグリッパー１の軸方向に延びるワイヤー通し孔２０３が形成されている。このワイヤー通し孔２０３の、ほぼ半分の高さの部分には、内スリーブ上部１３の外ネジ１３ａに螺合する内ネジ２０３ａが形成されている。さらに、同孔２０３には、内ネジ２０３ａから外方向（ワイヤーグリッパー側の反対方向）に拡がるテーパー内周面２０５が形成されている。
【００７５】
ワイヤーガイドキャップ２０１の内ネジ２０３ａと内スリーブ１０の外ネジ１３ａを完全に螺合させると、ワイヤーガイドキャップ２０１と外スリーブ４０の間にはスキマが開かない。つまり、内スリーブ１０を外スリーブ４０に対して下方に押すことができない。このように、ワイヤーガイドキャップ２０１を締めることによって、ワイヤーグリッパー２００はグリップ状態でロックされる。これにより、内スリーブ１０が不用意に押されてグリップ力が解除されるような事態を防ぐことができる。
【００７６】
グリップ力を解除するには、外ネジ１３ａ、内２０３ａを少し緩めてキャップ２０１を上方へ移動させると、キャップ２０１と外スリーブ４０間にスキマ（図１２（Ｃ）参照）が開き、内スリーブ１０を下方に押すことができる。
キャップ２０１の外周面にはローレット加工面２０７が設けられており、キャップ２０１をつまみやすくしている。
【００７７】
また、このワイヤーグリッパー２００を使用する際は、一般的には、図５に示すように、同グリッパーから出た２本のワイヤーＷが左右に（前後に）分かれて上方（又は下方）に延びるものである。このため、ワイヤーガイドキャップ２０１に外方向に拡がるテーパー内周面２０５を設けることによって、分かれるワイヤーＷをガイドすることができる。このように、ワイヤーが内スリーブから出て行く部分の形状を、実際のワイヤーの湾曲形状に沿うようにすることにより、ワイヤーのグリップ解除や、ワイヤー繰り出し・引き込み操作をスムーズにすることができる。さらに、ワイヤーの曲がり方がスムーズになるので、ワイヤーにくせがつきにくい。
【００７８】
次に、このワイヤーグリッパー２００を使用する例を説明する。なお、図５、図６、図９に示す使用例にこのワイヤーグリッパー２００を適用することもできる。さらに、図７、図８、図１０に示すワイヤーグリッパーの変形例にこのワイヤーグリッパーを適用することもできる。
【００７９】
図１３は、本発明の実施の形態に係るキャンバス固定システムを説明する図である。
図１４は、図１３のキャンバス固定システムの一部（キャンバス隅部）とその変形例を示す図である。
この例は、ワイヤーグリッパー２００を使用して、方形のキャンバスＣ（布、メッシュ、樹脂シート等を含む）を天井及び床の間に張るシステムを示す。キャンバスＣの張り具合を調整したり、キャンバスＣの種類を変えることにより、キャンバスＣをスクリーン、パーテーション、装飾品等様々な用途・形態に使用することができる。
【００８０】
天井と床には、レール５０１が平行に敷設されている。各レール５０１には、２個の留め具５０３がスライド可能かつ固定可能に取り付けられている。キャンバスＣは方形で、四隅にはとめ５０７が設けられている。対角線上にあるはとめ５０７はワイヤーグリッパー組立２２０で反対方向に引っ張られ、同組立２２０が各留め具５０３に連結される。これにより、キャンバスＣが天井レール５０１と床レール５０１間に張られる。
【００８１】
ワイヤーグリッパー組立２２０は、図１４（Ａ）に示すように、ループ状ワイヤーＷの両端をグリップしたワイヤーグリッパー２００（図７に示す使用例において、ワイヤーグリッパー１を図１２のワイヤーグリッパー２００に変更したもの）と、同グリッパー２００と直列連結されたスプリング２２１とから構成される。すなわち、スプリング２２１は、両端にフック２２３、２２５が設けられており、一方のフック２２３がワイヤーグリッパー２００の外スリーブ４０の端部に固定されている。
【００８２】
ワイヤーＷはキャンバスＣのはとめ５０７に通された後、両端がワイヤーグリッパー２００にグリップされる。これにより、キャンバスＣ（はとめ５０７）とワイヤーグリッパー組立２２０が連結される。そして、同組立２２０のスプリング２２１の他方のフック２２５をレール５０１に取り付けられた留め具５０３に引っ掛けられて、同組立２２０がレール５０１に連結される。こうして、キャンバスＣの四隅は対角上反対方向に引っ張られるように各留め具５０３に連結される。
【００８３】
この例においては、キャンバスＣにはスプリング２２１によりある程度の張り具合の裕度を与えられているが、張り具合をさらに調整する際には、ループ状ワイヤーＷの長さ（グリッパー２００からはとめ５０７までの距離）を変える必要がある。この際、２本のワイヤーを任意の位置でグリップ可能なワイヤーグリッパー２００を用いることにより、簡単に長さを調整できる。また、１つのはとめ５０７につき１個のワイヤーグリッパーを用いればよいので、見栄えがよい。
【００８４】
なお、この例では、キャンバスＣの四隅にワイヤーが通されるはとめ５０７を設けたが、このようなワイヤー係合部としては、フックを取り付けたり、キャンバスを折り返して二重部を形成してもよい。
【００８５】
また、図１４（Ｂ）、（Ｃ）に示すように、キャンバスと固定部との連結部の構造を変更することもできる。これらの例は、キャンバスをレールではなく、床面や天井面に直接連結するものである。
図１４（Ｂ）に示す例は、キャンバスＣのはとめ５０７を、ワイヤーグリッパー組立２３０を介して床面に固定している。ワイヤーグリッパー組立２３０は、ワイヤーグリッパー２００と、床面に固定される固定部２３１を備える。ワイヤーグリッパー２００は固定部２３１に対して自由に回転可能である。また、ワイヤーグリッパー２００には、ネジ式のテンション付与機構が備えられており、ワイヤーグリッパー２００を固定部２３１に対して繰り出し・引き込みすることにより、ワイヤーのテンションを調整できる。このテンション付与機構は、図１４（Ａ）のスプリング２２１と同様の作用を有する。
図１４（Ｃ）に示す例は、図１４（Ａ）のワイヤーグリッパー組立２２０を、床面に固定したフック５０９に連結したものである。
また、ループ状ワイヤーと被固定物（キャンバス）との間にスプリングを設けることもできる。
【００８６】
このようにスプリングを介することにより、被固定物（キャンバス）を固定する際のテンションの調整がしやすくなる。あるいは、多少各部のガタや弛みが生じた場合にも張力が激減することがなく、安定に被固定物を固定できる。
【００８７】
図１５は、図１３のキャンバス固定システムの他の例を説明する図である。
この例は、図１３の例と同様にキャンバスＣを張るものであるが、キャンバスＣの四隅と、上下辺の中央で、天井面及び床面に連結されている。
【００８８】
キャンバスＣの四隅と上下辺の中央には、はとめ５０７が形成されている。
キャンバスＣの上側の辺は、ワイヤーグリッパー組立２４０で天井に固定された留め具に連結されている。ただし、このワイヤーグリッパー組立２４０は、１本のワイヤーをグリップ可能なワイヤーグリッパーと、スプリングとからなる。スプリングのフックは、キャンバス上辺の各はとめ５０７に引っ掛けられている。キャンバスＣの左右上隅が連結される留め具５１１には、ワイヤーＷの一端が予め固定されている。このワイヤーＷの他方の端部は、ワイヤーグリッパー組立２４０にグリップされる。一方、キャンバスＣの中央が連結される留め具５１３は、１本のワイヤーＷをグリップ可能なワイヤーグリッパーと、天井等に固定される固定部からなる。ワイヤーＷの両端は、この留め具５１３とワイヤーグリッパー組立２４０にグリップされる。
【００８９】
キャンバスの下側の辺の各隅と中央は、図１４（Ａ）に示すワイヤーグリッパー組立２２０（スプリング付き）と、図１４（Ｂ）に示すワイヤーグリッパー組立２３０（固定部付き）で床面に連結されている。キャンバスＣの下辺左隅のはとめ５０７には、ワイヤーグリッパー組立２２０のワイヤーＷが通されている。同ワイヤーグリッパー組立２００のスプリングは、床面に固定されたフック５０９に引っ掛けられている。また、キャンバスＳの下辺中央のはとめ５０７には、床面に直接固定されたワイヤーグリッパー組立２３０のワイヤーＷが通されている。そして、キャンバスＳの下辺右隅のはとめ５０７には、床面に置かれた重り５１７に固定されたワイヤーグリッパー組立２３０のワイヤーＷが通されている。
【００９０】
図１６は、図１５のキャンバス固定システムの他の例を説明する図である
この例では、キャンバスＣにはとめではなく、キャンバスを二重縫いしたワイヤー係合部５０８を形成している。そして、キャンバスＣの上側の辺の各隅と中央は、１本のワイヤーのみをグリップ可能なワイヤーグリッパー２５０が固定されている。そして、これらのワイヤーグリッパー２５０と、天井に固定された各留め具５１１、５１３とがワイヤーＷで連結されている。一方、キャンバスＣの下辺は図１５と同様な方法で床面に連結されている。ここで、ワイヤーＷは、キャンバスＣのワイヤー係合部５０８に通されている。
【００９１】
さらに、キャンバスＣの各辺に沿って、コード５２０が縫い込まれている。コードとしては、変形や伸縮可能なウレタンコードやワイヤーを使用できる。これにより、キャンバスＣの各辺を緊張した状態に維持できる。
【００９２】
図１５、図１６に示すように、１本のワイヤーをグリップ可能なグリッパーを使用しても、ワイヤーの長さを調整することができる。しかし、この場合、１本のワイヤーを、上端と下端で固定又はグリップするためのグリッパーや留め具が必要になる。図１５の例に示すキャンバスＣの上辺を天井に連結する際は、予めワイヤーの一端が固定された留め具５１１と、キャンバスＣに連結したワイヤーグリッパー組立２４０を使用している。つまり、１ヶ所の連結部で２個の留め具又はグリッパーが必要である。しかし、キャンバスＣの下辺を床面に連結する際には、ループ状のワイヤーの両端をグリップするワイヤーグリッパー組立２２０、２３０を１個使用している。つまり、１ヶ所の連結部に１個のワイヤーグリッパー組立ですむ。そして、このようなワイヤーグリッパー組立２２０、２３０を使用することにより、キャンバスＣにはワイヤーを通す孔などの係合部を設けておけばよく、固定物側にワイヤーグリッパー組立を取り付ければよい。また、これにより、キャンバスＣのデザイン性を広げることができる。
【００９３】
図１７は、本発明の実施の形態に係る面構成システムを説明する図である。
この例は、天井と床面などの対向する辺間に複数本の線状体を掛け渡して、線状体からなる面を構成するシステムである。線状体は、例えば、ワイヤーにウレタンコーティングしたようなものを使用できる。この際、線状体の両端は、ウレタンが剥がされてワイヤーが剥き出しになっている。
【００９４】
天井及び床面には、一対のＬ字型バー５３１が平行に固定されている。各バー５３１には、孔５３３が長さ方向に並んで形成されている。１本又は２本の線状体５４０の両端は、スプリングと直列連結されたワイヤーグリッパーを有するワイヤーグリッパー組立２２０（図１４（Ａ）参照）でグリップされ、これらのバー５３１間を反対方向に引っ張られている。
【００９５】
各ワイヤーグリッパー組立２２０のスプリングのフックは、バー５３１の孔５３３に引っ掛けられている。一方、同組立２２０のワイヤーグリッパーには、線状体５４０が１本又は２本グリップされている。例えば、図の左側に示す部分では、一方のバー５３１に取り付けられたワイヤーグリッパー組立２２０に、２本の線状体５４０の一端がグリップされている。２本の線状体２４０は、同ワイヤーグリッパー組立２２０から図の左右方向に分かれて、他方のバー５３１に向って延びる。そして、各線状体２４０の他方の端部は、同バー５３１に隣接して取り付けられたワイヤーグリッパー組立２２０にグリップされている。これにより、線状体２４０が上下バー５３１間にクロスするように掛け渡されている。
【００９６】
また、図の中央に示す部分では、線状体２４０が、各バー５３１の隣り合うワイヤーグリッパー組立２２０の間に掛け渡されているとともに、このように掛け渡された上下の線状体２４０の中央が、上下バー５３１のほぼ中央部で引っ掛けられている。
図の右側に示す部分では、ワイヤーグリッパー組立２２０が、各バー５３１の孔５３３に１つ置きに取り付けられている。そして、線状体２４０は、一端が一方のバー５３１に取り付けられたワイヤーグリッパー組立２２０にグリップされて、同組立２２０から対向するバー５３１の孔５３３を通って折り返されて元のバー５３１に戻り、もう一方の端部が、最初のワイヤーグリッパー組立２２０と隣接するワイヤーグリッパー組立２２０にグリップされている。この例に示すように、全ての孔５３３にワイヤーグリッパー組立２２０を付ける必要はない。
【００９７】
この例のシステムは、空間と空間の間の間仕切りとして使用したり、壁沿いに設ける装飾品として使用してもよい。線状体２４０の色（ウレタンコーティングの色）を変えることにより、より多彩な装飾効果を期待できる。この際に、２本の線状体をグリップできるワイヤーグリッパーを用いることにより、線状体端部の処理を見栄え良くすることができ、図１７に示すように、線状体を様々な形態で掛け渡すことができる。
【００９８】
以下に、本発明のワイヤーグリッパーを使用して物品（看板、照明機器、棚など）をワイヤーで吊り下げるシステムの例を説明する。
【００９９】
図１８は、本発明の実施の形態に係る物品吊り下げシステムを説明する図である。
この例は、天井から吊り下げられたレール５６１にワイヤーで看板５５１や照明機器５５３を吊り下げるシステムを示す。
看板５５１は、１個のワイヤーグリッパー２００によってレール５６１から吊り下げられており、照明機器５５３は、２個のワイヤーグリッパー２００によってレール５６１から吊り下げられている。
【０１００】
看板５５１を吊り下げる場合は、ワイヤーグリッパー２００を、レール５６１にスライド可能に取り付ける（取り付け方の説明は省略する）。そして、看板５５１の上辺の両端付近に、ワイヤーＷの一端が固定された留め具５６３を取り付ける。各留め具５６３から延びるワイヤーＷの他端は、ワイヤーグリッパー２００にグリップされる。
【０１０１】
この例は、図５に示すマネキンを吊るす例と同様に、２本のワイヤーＷの各上端と各下端とが一つの平面を形成しており、看板５５１をワイヤーＷを軸中心として回転しないように吊下げることができる。
【０１０２】
照明機器５５３を吊り下げるこの例においては、２個のワイヤーグリッパー２００を、レール５６１にスライド可能に取り付ける。そして、照明機器５５３のケーシングの上面に、ワイヤーの一端が固定された留め具５６５を取り付ける。この例では、２個の留め具５６５を、ケーシングの長手方向の一端付近に離して取り付け、２個の留め具５６５を、他方の端部付近に離して取り付ける。そして、２個の留め具２６５から延びる２本のワイヤーＷの端部を、ワイヤーグリッパー２００にグリップする。
【０１０３】
幅のある照明機器を安定に吊り下げるには、この例のように、複数箇所（この例では４ヶ所）で複数本のワイヤーで吊り下げることが好ましい。この場合、通常、複数本のワイヤーの上端の各々をグリップ又は固定するグリッパーや留め具が必要であった。そこで、この例のワイヤーグリッパー２００を使用することにより、２本のワイヤーの上端を１個のワイヤーグリッパー２００でグリップすることができ、留め具やグリッパーの数を減らすことができる。また、図に示すように、照明機器５５３を直線状のレール５６１から吊り下げることができる。
【０１０４】
図１９は、本発明の実施の形態に係る棚吊り下げシステムを説明する図である。
この例は、ワイヤーで２枚の棚板Ｓを壁面に沿って水平に吊り下げるシステムである。  壁面の垂直方向に離れた位置には、二対のワイヤーグリッパー組立２３０が、横方向に離れて取り付けられている。このワイヤーグリッパー組立２３０は、図１４（Ｂ）に示す、固定部を備えたワイヤーグリッパーであり、固定部２３１が壁面に固定されている。ワイヤーグリッパー２００は固定部２３１に対して回転可能であるため、この例では、上側のワイヤーグリッパーは下方を向き、下側のワイヤーグリッパーは上方を向いている。これらの組立２３０間にワイヤーＷによって棚板Ｓが水平に維持される。
【０１０５】
棚板Ｓの対向する辺（この例では短辺）の両端付近には、たとえば、図８に示すような棚受けを備えるワイヤーグリッパー５７１が取り付けられている。ただし、この例では、棚受けは、図８に示すような溝で棚板を挟むものではなく、ネジ式となっている。また、２本のワイヤーをグリップ可能なものではなく、１本のワイヤーをグリップ可能なものである。
【０１０６】
上下のワイヤーグリッパー組立２３０間には、２本のワイヤーＷの両端がグリップされている。２本のワイヤーＷの長さは異なり、短い方のワイヤーＷＳは、途中が棚板Ｓの壁側のワイヤーグリッパー５７１Ｒにグリップされており、長い方のワイヤーＷＬは、途中が棚板Ｓの手前側のワイヤーグリッパー５７１Ｆにグリップされている。
【０１０７】
この例においても、２本のワイヤーの各上端と下端を、１個のワイヤーグリッパーでグリップできるため、ワイヤー端部を見栄えよく処理することができる。
【０１０８】
なお、このシステムにおいては、棚板Ｓを壁面に沿って垂直に保持することもできる。この際は、棚板Ｓの端面に、ワイヤーグリッパー５７３とワイヤーガイド５７５を取り付ける。
【０１０９】
図２０は、本発明の実施の形態に係る棚吊り下げシステムを説明する図である。
この例は、棚Ｓを天井からワイヤーで水平に吊り下げるシステムである。
【０１１０】
図の中央の棚吊り下げシステムから説明する。この例では、２枚の棚板Ｓを上下方向に並んで吊り下げている。
天井には、２本のワイヤーＷの端部が固定された留め具５８１が取り付けられている。棚板Ｓの四隅には、１本のワイヤーのグリップ機構を備えたワイヤーグリッパー５８３が貫通して固定されている。留め具５８１から延びる２本のワイヤーは、同留め具５８１から前後方向に分かれて下方に延び、各々途中が、棚板Ｓの短辺方向に隣接する２個のワイヤーグリッパー５８３でグリップされる。そして、２本のワイヤーＳの下端は、床面上に載置された重り５８５に取り付けられた１個のワイヤーグリッパー組立２３０（図１４（Ｂ）参照）でグリップされる。なお、ワイヤーグリッパー組立２３０は直接床面に固定してもよい。
【０１１１】
このように２本のワイヤーをグリップ可能なグリッパー２００を用いたワイヤーグリッパー組立２３０を使用することにより、重り５８５を棚板Ｓの中心付近真下に置くことができる。例えば、従来のように１本のワイヤーのみをグリップするグリッパーを使用する場合は、重りを棚板の四隅の各真下に置く必要があった。このため、部品数が増加するとともに、足が重りやワイヤーに引っ掛かる恐れがあった。しかし、２本のワイヤーをグリップ可能なワイヤーグリッパー２００を使用することにより、重り５８５を棚の中心真下に置くことができ、このような恐れを排除できる。
【０１１２】
図の右側の棚吊り下げシステムを説明する。この例でも、２枚の棚板Ｓを上下方向に並んで水平に吊り下げている。
天井には、ワイヤーグリッパー組立２３０(図１４（Ｂ）参照)が固定されている。棚板Ｓの四隅には、図１２に示す、ワイヤーグリッパー２００が貫通して固定されている。
【０１１３】
天井に固定されたワイヤーグリッパー組立２３０から前後方向に分かれて下方に延びる２本のワイヤーＷは、各々途中が、上側の棚板Ｓの短辺方向に隣接する２個のワイヤーグリッパー２００Ｔでグリップされる。そして、同ワイヤーグリッパー２００Ｔから前後方向に分かれて下方に延びる２本のワイヤーＷは、各々途中が、下側の棚板Ｓの短辺方向に隣接する２個のワイヤーグリッパー２００Ｂでグリップされる。各２本のワイヤーＷの下端は、床面上に載置された重り５８５に取り付けられたワイヤーグリッパー組立２３０（図１４（Ｂ）参照）でグリップされる。
【０１１４】
この例では、図の中央に示すシステムに比べて、棚板の図の前後方向の振れを減らすことができる。つまり、図６の例で説明したように、前後方向の振れは、対角上に延びるワイヤーで抑制されるため、同方向に振れ難くなる。そして、２本のワイヤーをグリップ可能なワイヤーグリッパー２００を用いることにより、ワイヤー端部やワイヤーと棚板との連結部を見栄えよく処理できる。
【０１１５】
図２１は、本発明の実施の形態に係る棚吊り下げシステムを説明する図である。
この例も、棚Ｓを天井から水平に吊り下げるシステムである。この例では、２枚の棚板Ｓを水平方向に並べて吊るすことができる。
【０１１６】
天井には、２本のワイヤーの端部が固定された留め具５８１が固定されている。棚板Ｓの対向する辺（この例では短辺）の両端付近には、たとえば、図８に示すような棚受け付きのワイヤーグリッパー１´が取り付けられている。ただし、２枚の棚板Ｓを水平方向に並んで連結する部分には、反対方向を向いた２つの棚受けが設けられているワイヤーグリッパー６００が取り付けられている。反対方向を向いた各棚受けには、棚板ＳＬ、ＳＲが保持される。棚受けは、溝であっても、ネジ式であってもよい。
【０１１７】
天井に固定された留め具５８１から前後方向に分かれて下方に延びる２本のワイヤーＷは、各々途中が、上側の棚板Ｓの短辺方向に隣接する２個のワイヤーグリッパー１´、６００でグリップされる。そして、同ワイヤーグリッパー１´、６００から前後方向に分かれて下方に延びる２本のワイヤーは、各々途中が、下側の棚板Ｓの短辺方向に隣接する２個のワイヤーグリッパー１´、６００でグリップされる。各２本のワイヤーＷの下端は、床面上に固定されたワイヤーグリッパー組立２３０（図１４（Ｂ）参照）でグリップされる。このワイヤーグリッパー組立２３０は、棚板の連結方向に並ぶように床面に固定されている。そして、下側の棚板Ｓから延びる２本のワイヤーは、図の左右方向に分かれて延びて、各々棚板の連結方向（図の左右方向）に並んだワイヤーグリッパー組立２３０にグリップされる。
【０１１８】
この例では、棚板を図の前後方向に振れ難く吊るすことができる。同時に、床面に固定されたワイヤーグリッパー組立２３０が、棚板の幅方向（図の左右方向）に並んでいるため、図の左右方向にも振れ難く吊るすことができる。
【０１１９】
図２２は、本発明の実施の形態に係るバー吊り下げシステムを説明する図である。
この例は、例えばハンガー等を掛けるバー６１０を天井からワイヤーで水平に吊り下げるシステムを示す。この例では、バーの各端部を天井から延びる２本のワイヤーを使用して吊り下げる。
【０１２０】
天井には、１本のワイヤーの端部が固定された一対の留め具６１３がバー６１０の長さ方向に直交する方向に離れて固定されている。バーの両端付近には、図１２に示す、２本のワイヤーのグリップが可能なワイヤーグリッパー２００が貫通して固定されている。各留め具６１３から下方に延びた２本のワイヤーＷは、途中がワイヤーグリッパー２００でグリップされた後、真っ直ぐ下方に延びる。そして、各ワイヤーＷの下端は、重り６１５に取り付けられたワイヤーグリッパー組立２３０（図１４（Ｂ）参照）にグリップされる。
【０１２１】
図２３、図２４は、本発明の実施の形態に係るキーホルダー型ワイヤーグリッパーを示す図であり、各図の（Ａ）は正面図、（Ｂ）は側面図、（Ｃ）は正面断面図である。
この例は、図１２に示すワイヤーガイドキャップとほぼ同様のキャップを設けた、図１に示すワイヤーグリッパー１に、ループ状に曲げたワイヤーの両端をグリップさせて、キーホルダーとして使用するものである。
【０１２２】
図２３に示すキーホルダー７００は、グリッパー１の形状がほぼ円柱形である。キャップ７０１も円柱状であり、外方向に拡がる内周面は設けられていない。さらに、外スリーブ４０の下中空孔部に螺合しているスプリング押え４９に、回転ケース７０３がトラスネジ７０５で回転可能に取り付けられている。この回転ケース７０３には、グリッパーのワイヤー通し孔方向と直交する方向に延びる貫通孔７０７が形成されている。
【０１２３】
図２４に示すキーホルダー８００は、キャップ８０１とスプリング押え８０３を含めたグリッパーの全体の形状が卵型である。
【０１２４】
キー等をワイヤーに留める際は、キャップ７０１、８０１をワイヤーグリッパー１に対して回転させてキャップと外スリーブとの間にスキマを形成し、ワイヤーグリップ状態を解除する。
【図面の簡単な説明】
【０１２５】
【図１】本発明の実施の形態に係るワイヤーグリッパーの構造を示す図であり、図１（Ａ）は縦断面図、図１（Ｂ）は平面図である。
【図２】図１のワイヤーグリッパーの内スリーブの構造を示す図であり、図２（Ａ）は平面図、図２（Ｂ）は正面図である。
【図３】図１のワイヤーグリッパーのグリップ作用を説明するための図であり、図３（Ａ）は一部横断面図、図３（Ｂ）は一部縦断面図である。
【図４】各ボールの径を幾何学的に求める方法を説明するための図である。
【図５】図１のワイヤーグリッパーを使用してマネキンを吊るした状態を示す図である。
【図６】図１のワイヤーグリッパーの他の使用例を示す図である。
【図７】図１のワイヤーグリッパーの他の使用例を示す図である。
【図８】本発明の他の実施の形態に係るワイヤーグリッパーの構造を示す図であり、図８（Ａ）は正面断面図、図８（Ｂ）は平面図、図８（Ｃ）は側面図である。
【図９】この例のワイヤーグリッパーで棚を保持した様子を示す図である。
【図１０】本発明の他の実施の形態に係るワイヤーグリッパーの構造を示す図であり、図１０（Ａ）は正面断面図、図１０（Ｂ）は側面図である。
【図１１】従来の方式でマネキンを吊るした状態を示す図である。
【図１２】本発明の他の実施の形態に係るワイヤーグリッパーの構造を示す図であり、図１２（Ａ）は正面図、図１２（Ｂ）はワイヤーグリッパー本体の正面断面図、図１２（Ｃ）はキャップの正面断面を示す図であり、同キャップとグリッパーとのスキマやワイヤーをガイドしている様子も示す。
【図１３】本実施の形態に係るキャンバス固定システムを説明する図である。
【図１４】図１３のキャンバス固定システムの一部（キャンバス隅部）とその変形例を示す図である。
【図１５】図１３のキャンバス固定システムの他の例を示す図である。
【図１６】図１５のキャンバス固定システムの他の例を示す図である
【図１７】本発明の実施の形態に係る面構成システムを説明する図である。
【図１８】本発明の実施の形態に係る物品吊り下げシステムを説明する図である。
【図１９】本発明の実施の形態に係る棚吊り下げシステムを説明する図である。
【図２０】本発明の実施の形態に係る棚吊り下げシステムを説明する図である。
【図２１】本発明の実施の形態に係る棚吊り下げシステムを説明する図である。
【図２２】本発明の実施の形態に係るバー吊り下げシステムを説明する図である。
【図２３】本発明の実施の形態に係るキーホルダー型ワイヤーグリッパーを示す図であり、（Ａ）は正面図、（Ｂ）は側面図、（Ｃ）は正面断面図である。
【図２４】本発明の実施の形態に係るキーホルダー型ワイヤーグリッパーを示す図であり、（Ａ）は正面図、（Ｂ）は側面図、（Ｃ）は正面断面図である。
【図２５】図８のワイヤーグリッパーの他の構造例を示す正面断面図である。
【符号の説明】
【０１２６】
１  ワイヤーグリッパー            １０  内スリーブ
１１  ワイヤー通し孔                １３  上部
１５  円錐状部                      １５  テーパ外周面
１７  中央部                        １９  下部
２１  ボールセット孔                ３１  大径ボール
３３  小径ボール                    ４０  外スリーブ
４１  上中空孔部                    ４１ａ  テーパ内周面
４３  下中空部                      ４５  ネジ
４９  スプリング押え                ５１  貫通孔
６０  スプリング
７０  外スリーブ                    ７１  棚受け取り付け部
８０  棚受け                        ８３  片
８５  溝                            ８７  棚押え
８９  ネジ
９０  外スリーブ                    ９５  フック
９７  リベット
１０１、１０５  ワイヤー留め具      １０３  レール
１１１  オネジ
２００  ワイヤーグリッパー          ２０１  ワイヤーガイドキャップ
２０３  ワイヤー通し孔              ２０５  テーパー内周面
２０７  ローレット加工面            ２２０  ワイヤーグリッパー組立
２２１  スプリング                  ２２３、２２５  フック
２３０  ワイヤーグリッパー組立      ２３１  固定部
２４０  ワイヤーグリッパー          ５０１  レール
５０３  留め具                      ５０７  はとめ
５０９  フック                      ５１１  留め具
５１３  ワイヤーグリッパー          ５１７  重り
５０８  ワイヤー係合部              ５３１  Ｌ字型レール
５３３  孔                          ５４０  線状体
５５１  看板                        ５５３  照明機器
５６１  レール                      ５６３  留め具
５６５  留め具                      ５７１  ワイヤーグリッパー
５７３  ワイヤーグリッパー          ５７５  ワイヤーガイド
５８１  留め具                      ５８３  ワイヤーグリッパー
５８５  重り                        ６００  ワイヤーグリッパー
６１０  バー                        ６１３  留め具
６１５  重り                        ７００  キーホルダー型ワイヤーグリッパー
７０１  キャップ                    ７０３  回転ケース
７０５  トラスネジ                  ７０７  孔
８００  キーホルダー型ワイヤーグリッパー
８０１  キャップ
【図１】
2006263435.tif 000003
【図２】
2006263435.tif 000004
【図３】
2006263435.tif 000005
【図４】
2006263435.tif 000006
【図５】
2006263435.tif 000007
【図６】
2006263435.tif 000008
【図７】
2006263435.tif 000009
【図８】
2006263435.tif 000010
【図９】
2006263435.tif 000011
【図１０】
2006263435.tif 000012
【図１１】
2006263435.tif 000013
【図１２】
2006263435.tif 000014
【図１３】
2006263435.tif 000015
【図１４】
2006263435.tif 000016
【図１５】
2006263435.tif 000017
【図１６】
2006263435.tif 000018
【図１７】
2006263435.tif 000019
【図１８】
2006263435.tif 000020
【図１９】
2006263435.tif 000021
【図２０】
2006263435.tif 000022
【図２１】
2006263435.tif 000023
【図２２】
2006263435.tif 000024
【図２３】
2006263435.tif 000025
【図２４】
2006263435.tif 000026
【図２５】
2006263435.tif 000027